(57)【要約】  本発明は、水を加熱するための装置に関し、加熱モジュールおよび加熱モジュールに接続された熱交換器であって、断熱材に囲まれた加熱モジュールおよび熱交換器を含み、断熱材は、真空パックされたコア材を含む。加熱装置において、加熱モジュールと熱交換器は、複数の壁を有する住居にさらに収容され、真空パックされたコア材は、一つの壁と、加熱モジュールおよび／または熱交換器との間に配置される。
2015512024.tif 000002
【特許請求の範囲】
【請求項１】
加熱モジュールおよび加熱モジュールに接続された熱交換器であって、少なくとも部分的に断熱材に囲まれた加熱モジュールおよび熱交換器を含む、水などの流動媒体を加熱するための装置において、前記断熱材は、真空パックされたコア材を含むことを特徴とする装置。
【請求項２】
前記加熱モジュールと前記熱交換器が、複数の壁を有する住居に収容され、前記真空パックされたコア材が、少なくとも一つの壁と、前記加熱モジュールおよび／または前記熱交換器との間に配置されることを特徴とする、請求項１に記載の加熱装置。
【請求項３】
前記真空パックされたコア材が、パネルとして実現され、このような真空パネルが少なくとも一つの壁に沿って配置されることを特徴とする、請求項２に記載の加熱装置。
【請求項４】
前記真空パネルが、前記住居の実質的に閉じられた壁に沿って配置されることを特徴とする、請求項３に記載の加熱装置。
【請求項５】
前記真空パックされたコア材が、前記加熱モジュールおよび／または前記熱交換器からある程度の距離を置いて配置されることを特徴とする、請求項１〜４のいずれかに記載の加熱装置。
【請求項６】
前記加熱モジュールおよび／または前記熱交換器を一方側に、前記少なくとも一つの真空パネルを他方側に有し、これらの間に配置される少なくとも一つのスペーサーを特徴とする、請求項３または４および５に記載の加熱装置。
【請求項７】
前記少なくとも一つの真空パネルが、前記コア材を囲む反射フォイルを含み、前記少なくとも一つのスペーサーが、放熱をほぼ透過させることを特徴とする、請求項６に記載の加熱装置。
【請求項８】
前記少なくとも一つのスペーサーが、複数の開口部を有するプレートを含むことを特徴とする、請求項７に記載の加熱装置。
【請求項９】
前記加熱モジュールおよび／または前記熱交換器が、ボルトで住居の壁に固定され、前記少なくとも一つのスペーサーが、少なくとも一つの前記ボルトの周りに配置されたブッシュまたはリングを含むことを特徴とする、請求項６または７に記載の加熱装置。
【発明の詳細な説明】
【技術分野】
【０００１】
本発明は、加熱モジュールおよび、加熱モジュールに接続された熱交換器であって、少なくとも部分的に断熱材に囲まれた加熱モジュールおよび熱交換器を含む、水などの流動媒体を加熱するための装置に関する。このような加熱装置は、例えば、セントラル暖房ボイラーの形式で、一般的に知られている。このようなセントラル暖房ボイラーは、異なる形態で、Ｋｏｍｐａｋｔ  ＨＲＥおよびＰｒｅｓｔｉｇｅ  ＨＲという名称で、出願人によって販売されている。
【背景技術】
【０００２】
セントラル暖房ボイラーにおいて、水が加熱され、導管を介して、ある空間を加熱するためにその空間内に配置された放熱器に運ばれる。加熱モジュールは、一般に水を加熱する目的でガスバーナーを含む。いわゆるコンビボイラーにおいては、加熱用の水に加えて水道水も加熱される。液体が互いに直接接触する状態になるように流れることなく、ガスバーナーの熱が、一方の媒体を介して他方の媒体へ移動され得るように、ここで熱交換器が使用される。
【０００３】
本出願の「加熱装置」は、空間を加熱するために使用される媒体、または水道水の加熱用に適している媒体を加熱するのに適切な、いかなる器具も意味すると理解される。したがって、加熱装置とは、セントラル暖房ボイラー、すなわちコンビボイラーと単独ボイラーの両方に加えて、水道水用の温水器具を意味すると理解される。前述のタイプの加熱装置は、達成すべき性能の点において満たすべき水準がより一層高まってきている。このことは、ますますエネルギー効率の高い、建物や特に居住空間を作りたいという願望に関連する。建物のエネルギー効率を指定するために、いわゆるエネルギー性能係数（ＥＰＣ）といわれる指標を利用する。このＥＰＣの最大値が指定されてきたが、この値は継続的に引き下げられている。このように、２００６年からのＥＰＣ最大値である０．８が、オランダでの住居に適用されていたが、２０１１年からのＥＰＣ最大値は、わずか０．６となり得る。ＥＰＣの基準は、２０１５年から、０．４にさえ設定されることが予想される。居住空間のエネルギー性能係数は、建物の使用に関連したエネルギー消費に基づいて計算される。これは、温かい水道水および照明のような屋内環境を、加熱または冷却するために必要なエネルギーを意味すると理解される。したがって、暖房ボイラーの効率が、エネルギー性能係数の水準に関して重要視され、コンビボイラーの場合には特に重要視される。
【０００４】
２４時間サイクルでの使用によるエネルギー消費が、ＥＰＣを計算するために考慮される。停止状態における損失が、暖房ボイラーにとって重要な因子となる。
【発明の概要】
【発明が解決しようとする課題】
【０００５】
本発明の目的は、エネルギー効率の高い前述のタイプの加熱装置を提供することであり、したがって、本発明は、この加熱装置が適用される居住空間のＥＰＣにおいて、好ましい効果を有する。
【課題を解決するための手段】
【０００６】
本発明によれば、この目的は、断熱材が真空パックされたコア材を含むこのような加熱装置において達成される。このような真空パックされたコア材は、従来の断熱材と比べてかなり低い熱伝導係数を有し、その値は０．００５Ｗ／ｍＫ以下である。したがって、同じ断熱性を達成するために、大幅に薄い層の材料を適用することができる。真空パックされたコア材の層の厚さは、実際には、同じ断熱性を有する従来の断熱材の層の厚さの約８分の１だけで十分である。これによって、断熱材として使用される真空パックされたコア材は、従来の断熱材よりも大幅に軽くなり得、したがって、加工もまたより容易になる。さらに、この真空パックされたコア材は、多くの従来の断熱材とは対照的に、繊維を含まない。このことは、作業環境に関する法律制度において、重要である。
【０００７】
加熱モジュールと熱交換器が、複数の壁を有する住居に収容される場合、真空パックされたコア材は、少なくとも一つの壁と、加熱モジュールおよび／または熱交換器との間に配置されるのが好ましい。
【０００８】
真空パックされたコア材がパネルとして実現されるとき、本発明による加熱装置の構造的に単純な実施形態が得られ、このような真空パネルは、少なくとも一つの壁に沿って配置される。
【０００９】
真空パネルは、住居の実質的に閉じられた壁に沿って配置されるのが好ましい。したがって、導管などの流路のためにパネルを突き破る必要がなく、一体型ユニットとして比較的単純な方法で製造することができる。
【００１０】
真空パックされたコア材の過熱を防ぐために、この材料が、加熱モジュールおよび／または熱交換器からある程度の距離を置いて配置されることが推奨される。
【００１１】
加熱装置に、加熱モジュールおよび／または熱交換器を一方側に、少なくとも一つの真空パネルを他方側に有し、これらの間に配置される少なくとも一つのスペーサーが設けられるとき、このことが、構造的に簡単な方法で実現し得る。
【００１２】
少なくとも一つの真空パネルが、コア材を囲む反射フォイルを含む場合、少なくとも一つのスペーサーが、放熱をほぼ透過させることが推奨される。スペーサーがここで障害を形成することなく、加熱モジュールおよび／または熱交換器から来る熱放射は、フォイルによって反射され得る。
【００１３】
少なくとも一つのスペーサーが多数の開口部を有するプレートを含むとき、この効果が簡単な方法で実現され得る。
【００１４】
一方、加熱モジュールおよび／または熱交換器が、ボルトで住居の壁に固定され、少なくとも一つのスペーサーが、少なくとも一つのボルトの周りに配置されたブッシュまたはリングを含むことを、想定することも可能である。このように、加熱モジュール／熱交換器および真空パネルの間の望ましい距離を、簡単な方法で確保することもできる。
【００１５】
本発明は、添付の図面を参照し、二つの実施形態に基づいて説明される。
【図面の簡単な説明】
【００１６】
【図１】本発明の第１の実施形態に係る加熱装置の一部分の分解斜視図である。
【図２】図１の線ＩＩ−ＩＩに沿った、真空パネルの断面を示す。
【図３】本発明に係る加熱装置の代替実施形態の、図１に対応する図である。
【発明を実施するための形態】
【００１７】
図１は、後壁２と二つの側壁３からなる、本発明に係る加熱装置の住居１の一部分を示す。（ここでは図示されていない）前壁、上壁、および下壁と一緒に形成されるのは、密閉型のキャビネットであり、中に加熱装置の構成要素が収容される。当然、加熱モジュール、制御装置、および全ての必要な導管がキャビネットの中に収容されているが、明確にする目的で、ここでは熱交換器１１のみを示す。
【００１８】
本発明によれば、加熱装置のエネルギー効率を高めるために、断熱パネル４が後壁２に接するように配置されている。この断熱パネル４は、シーム部１４において接合されたフォイル１３に囲まれたコア材１２を含み、気密かつ水蒸気密な外装が形成される。この外装の容積内で真空が作られ、それによって、コア材１２の熱伝導が非常に悪くなり、したがって、断熱作用が非常に大きくなる。あるいは、コア材１２は、ほぼ微多孔質のケイ酸からなる圧粉によって形成され得る。また、機械的安定性を改善するための、セルロース繊維の他、赤外線放射を最小限に抑えるための遮蔽手段も備えられ得る。図示される実施形態において、プラスチックフォイル１３は反射フォイルである。真空パックされたコア材１２は、非常によく断熱するため、パネル４の厚みは最大数十ミリメートルと小さくすることができる。実際には、１センチメートルオーダーの厚みのパネルで、おそらく十分である。
【００１９】
過熱の結果による断熱真空パネル４への損傷を防ぐために、図示される実施形態におけるスペーサー５が、熱交換器１１とパネル４との間に配置される。スペーサー５は、複数の比較的大きな開口部７が形成されたプレート６の形状であるため、このスペーサーは、熱交換器１１からの熱放射、およびパネル４の反射フォイル１３によって反射される熱放射に対して障害とならない。スペーサー５を形成するプレート６は、真空パネル４に比べてかなり大きな厚みを有することができ、そのプレート６の厚みは、パネル４の厚みの３倍から８倍であり得る。図示される実施形態では、スペーサー５の厚みはパネル４の厚みの約５倍である。
【００２０】
熱交換器１１は、後壁に配置された複数のボルト９によって後壁２に固定され、この複数のボルトは熱交換器１１の端部にある穴部１０を貫通して突き出る。ボルト９が通る開口部８もまた、スペーサー５に形成される。開口部が真空パネル４に形成されると、パネルの構造は相当難しくなってしまうため、開口部が真空パネル４に形成されないように、真空パネル４の寸法は、複数のボルト９の内側に収まるように選択される。パネル４の固定に関して特別な条件が必要とされないため、ここでは、単にパネル４は壁２とスペーサー５との間に挟まれる。
【００２１】
図示された、大きな開口部７を有するプレート状のスペーサー５の代わりに、他のタイプのスペーサーも適用されることができる。図３において、スペーサーは、複数のボルト９の周りの単純なブッシュ１５によって形成される。この複数のボルト９は、熱交換器１１を後壁２に固定するものである。ここで、後壁２に真空パネル４を固定するためには、特別な条件がまさに必要とされる。この図に見られるように、例えば、パネル４と壁２との間に接着層１６を塗布することで、この条件が実現され得る。固定する目的のための特別な締付ブラケット１７の使用を想定することも可能である。ここで重要なことは、フォイル１３に穴が開くと真空パネル４の断熱力が大幅に低減され得るので、フォイル１３に穴が開かないように固定することである。
【００２２】
真空パックされたコア材を基礎とした断熱材の適用により、特に加熱装置が運転されていないときの加熱装置の損失を削減することができる。したがって、この加熱装置が適用された建物のエネルギー性能係数が、低減され得る。また、加熱装置が停止中、より容易に温度を保つため、スイッチがオンになった後、より素早く水を所望の温度にすることが可能であることにより、快適さが増す。
【００２３】
本発明は、一つの実施形態に基づいて、上記で説明されているが、これに限定されない。よって、真空パックされた断熱材は、加熱装置の他の位置においても適用されることができる。住居の側壁、上壁、下壁、および前壁の１以上の部分を想定することも可能である。唯一の実際的制限は、真空パックされた断熱材を貫通する流路の形成が難しいということであり、そのため住居のいくつかの部分を断熱することができない可能性がある。
【００２４】
本発明の範囲は、以下の特許請求の範囲によってのみ定義される。
【図１】
2015512024.tif 000003
【図２】
2015512024.tif 000004
【図３】
2015512024.tif 000005
【国際調査報告】
2015512024.tif 000006
2015512024.tif 000007
2015512024.tif 000008